(57)【要約】【課題】  電子スコープの機能性を向上させる。【解決手段】  電子スコープが処理プロセッサに接続されると、電子スコープの操作部の第１〜第４の操作ボタンに割当てられる機能がモニターＴＶに表示される（Ｓ１００）。第１の操作ボタンに連動するスイッチＳＷ１がオンすると、照明光を照射するためのランプが駆動される。第２の操作ボタンに連動するスイッチＳＷ２がオンすると、ホワイトバランスの調整が行われる。第３の操作ボタンに連動するスイッチＳＷ３がオンすると、送気送水ポンプの駆動が開始される。第４の操作ボタンに連動するスイッチＳＷ４がオンすると、通常モードルーチン処理が実行され、ＳＷ１〜ＳＷ４がオンしたときに実行される機能が変更される。【選択図】        図４
2006061454.tif 000002
【特許請求の範囲】
【請求項１】
電子スコープの操作部に設けられる複数の操作ボタンと、
前記複数の操作ボタンの操作に応じて、前記複数の操作ボタンに割当てられる機能を動的に変更する機能変更手段と、
前記複数の操作ボタンに割当てられた機能を表示する表示手段とを備えることを特徴とする電子内視鏡装置。
【請求項２】
前記機能変更手段は、前記複数の操作ボタンのそれぞれに割当てられる機能を関連付けて割当てることを特徴とする請求項１に記載の電子内視鏡装置。
【請求項３】
前記機能変更手段は、前記複数の操作ボタンのうち、所定の操作ボタンに所定の動作モードを設定する機能を割当て、
他の操作ボタンには、前記所定の動作モードにおいて使用頻度の高い機能を割当てることを特徴とする請求項２に記載の電子内視鏡装置。
【請求項４】
前記機能変更手段は、電子内視鏡装置の周辺機器の操作機能を割当てることを特徴とする請求項１若しくは２のいずれかに記載の電子内視鏡装置。
【請求項５】
前記電子スコープ内に着脱自在に挿通される処置具が使用されるとき、前記機能変更手段は、前記処置具の操作機能を前記複数の操作ボタンに割当てることを特徴とする請求項１若しくは２のいずれかに記載の電子内視鏡装置。
【請求項６】
前記機能変更手段は、電子内視鏡装置を全体的に制御するプロセッサに前記電子スコープが接続されると、前記複数の操作ボタンに、電子内視鏡装置による施術開始のための初期処理機能を割当てることを特徴とする請求項１に記載の電子内視鏡装置。
【請求項７】
前記表示手段は、前記電子スコープにより得られた撮影画像を前記割当てられた機能と共に表示することを特徴とする請求項１に記載の電子内視鏡装置。
【請求項８】
電子内視鏡装置の電子スコープの操作部に設けられた複数の操作部材に割当てられる機能を動的に変更することを特徴とする制御システム。
【請求項９】
前記複数の操作部材の操作に応じて、割当てられる機能を変更することを特徴とする請求項８に記載の制御システム。
【発明の詳細な説明】
【技術分野】
【０００１】
本発明は、電子スコープを体内に挿入し、生体の観察・施術等を行う電子内視鏡装置に関する。
【背景技術】
【０００２】
電子内視鏡装置を使用する医療行為において、施術者は電子スコープの操作部を一方の手で把持しながら、操作部に連結された挿入部（可撓性導管）を他方の手で患者の体内に挿入する。体内の様子は挿入部先端に設けられたＣＣＤ等の固体撮像素子により取得され、その画像は所定の画像処理が施された後、モニターＴＶに映し出される。施術者は、モニターＴＶの映像を視認しながら操作部を適宜操作し、必要な施術を施す。
【０００３】
電子スコープの操作部には、施術における各種機能を実行するための操作ボタンが設けられている。施術者は、操作部を把持する手の指で操作ボタンを選択して押すことにより、所望の機能を実行する。操作部を把持しながらの操作が容易に行えるよう、操作ボタンの配設位置には設計上の制約がある。従って、操作ボタンの数は限られてしまう。そこで、限られた数の操作ボタンで多数の機能が実行できるよう、操作ボタンの押し込み量の違いにより異なる機能設定することが行われている（例えば特許文献１）。
【特許文献１】特開平８−２１５１４０号公報
【発明の開示】
【発明が解決しようとする課題】
【０００４】
しかしながら、医療行為は衛生上の観点から手術用手袋をした手で行われるため、微小な操作ボタンの微妙な操作は困難である。一方、電子スコープが接続される画像処理プロセッサの前面に設けられるフロントパネルや画像処理プロセッサに接続されるキーボードにより、操作ボタンの機能設定を行うことも可能である。しかし、このような機能設定が可能なのは施術開始前であって、両手の塞がった施術者がこれらの入力装置による機能設定を随時行うことは、スムーズな医療行為の妨げとなる。
【０００５】
本発明は、以上の問題を解決するものであり、電子内視鏡装置の電子スコープにおいて、限られた数の操作ボタンで多数の機能を容易に実行可能とすることを目的とする。
【課題を解決するための手段】
【０００６】
本発明に係る電子内視鏡装置は、電子スコープの操作部に設けられる複数の操作ボタンと、複数の操作ボタンの操作に応じて、複数の操作ボタンに割当てられる機能を動的に変更する機能変更手段と、複数の操作ボタンに割当てられた機能を表示する表示手段とを備えることを特徴とする。
【０００７】
好ましくは、機能変更手段は、複数の操作ボタンのそれぞれに割当てられる機能を関連付けて割当てる。
【０００８】
機能変更手段は、例えば、複数の操作ボタンのうち、所定の操作ボタンに所定の動作モードを設定する機能を割当て、他の操作ボタンには、所定の動作モードにおいて使用頻度の高い機能を割当てる。
【０００９】
機能変更手段は、電子内視鏡装置の周辺機器の操作機能を割当ててもよい。また、電子スコープ内に着脱自在に挿通される処置具が使用されるとき、その処置具の操作機能を複数の操作ボタンに割当ててもよい。
【００１０】
機能変更手段は、例えば、電子内視鏡装置を全体的に制御するプロセッサに電子スコープが接続されると、複数の操作ボタンに、電子内視鏡装置による施術開始のための初期処理機能を割当る。
【００１１】
好ましくは、表示手段は、電子スコープにより得られた撮影画像を操作ボタンに割当てられた機能と共に表示する。
【００１２】
また、本発明に係る制御システムは、電子内視鏡装置の電子スコープの操作部に設けられた複数の操作部材に割当てられる機能を動的に変更することを特徴とし、好ましくは、複数の操作部材の操作に応じて、割当てられる機能を変更する。
【発明の効果】
【００１３】
本願発明によれば、電子スコープの操作ボタンに割当てられる機能が、操作ボタンの操作に応じて動的に変更される。従って、限られた数の操作ボタンでより多くの機能設定を容易に行うことができ、電子スコープの機能性が向上する。
【００１４】
また、複数の操作ボタンのそれぞれに割当てられる機能を関連付けて割当てることにより操作の流れがスムーズとなり、施術時間を短縮することができる。
【発明を実施するための最良の形態】
【００１５】
図１は、本発明に係る実施形態が適用される電子内視鏡装置のシステム構成を示す図である。電子スコープ１０は患者の体内に挿入される挿入部１１と、各種操作を行うための操作部１２と、画像処理プロセッサ３０に接続される接続部１３とを有する。画像処理プロセッサ３０には、周辺機器としてモニターＴＶ５０、ビデオプリンタ６０、動画記録装置７０が接続されている。電子スコープ１０により得られた被観察体像は電子スコープ１０及び画像処理プロセッサ３０においてそれぞれ所定の画像処理が施された後、モニターＴＶ５０に送られる。その結果、体内の様子がモニターＴＶ５０に映し出される。また、被観察体の画像は、操作部１２の操作に応じてビデオプリンタ６０、動画記録装置７０に出力される。
【００１６】
図２は、電子スコープの操作部１２を拡大して示す図である。操作部１２には、第１の操作ボタン２１、第２の操作ボタン２２、第３の操作ボタン２３、及び第４の操作ボタン２４が配設される。鉗子口２５は操作部１２近傍に設けられ、挿入部１１内に形成された処置具挿通路（不図示）に連なっている。鉗子、電気メス等の各種処置具はこの鉗子口２５から挿入され、処置具挿通路に導かれて、挿入部１１の先端の開口部（不図示）から露出する。
【００１７】
図３は電子内視鏡装置のブロック図である。電子スコープ１０には多数の光ファイバーから成るライトガイド１４が挿通しており、ライトガイド１４は電子スコープ１０の挿入部１１の先端１１Ａまで延びている。挿入部先端１１Ａにおいてライトガイド１４の出射端の前方には配光レンズ１５が配置されている。また、電子スコープ１０には、鉗子口２５が連なっている、鉗子等の処置具が挿入される処置具挿通路２６が設けられている。
【００１８】
スイッチＳＷ１は、図２の操作部１２の第１の操作ボタン２１の操作に連動してオンオフするスイッチであり、スイッチＳＷ２は第２の操作ボタン２２の操作に連動してオンオフするスイッチであり、スイッチＳＷ３は第３の操作ボタン２３の操作に連動してオンオフするスイッチであり、スイッチＳＷ４は第４の操作ボタン２４の操作に連動してオンオフするスイッチである。各操作ボタンが押されると対応するスイッチがオンし、放されるとスイッチはオフする。
【００１９】
画像処理プロセッサ３０のシステムコントローラ３１は、電子内視鏡装置全体をコントロールする例えばマイクロプロセッサであり、ＣＰＵ３１Ａ、及び各種メモリ（図示せず）を備える。電子スコープ１０内のスコープＣＰＵ１８は、画像処理プロセッサ３０のシステムコントローラ３１のＣＰＵ３１Ａとの間で制御情報等の送受信を行う。上述のＳＷ１〜ＳＷ４のオンオフの情報はスコープＣＰＵ１８に入力され、この通信によりＣＰＵ３１Ａへ伝送される。
【００２０】
電子スコープ１０を画像処理プロセッサ３０に接続すると、ライトガイド１４はランプ３２に光学的に接続される。ランプ３２は白色光を出射する例えばキセノンランプ等である。使用者によるランプ点灯操作が行われると、ＣＰＵ３１Ａからの制御信号に基づいてランプ駆動回路３３からランプ３２へ点灯駆動信号が出力され、ランプ３２から白色光が出射される。白色光は集光レンズ３４、絞り４０を介してライトガイド１４の入射端に入射する。入射した白色光はライトガイド１４により挿入部先端１１Ａまで導かれ、配光レンズ１５を介して被観察体に照明光として照射される。被観察体からの反射光は、挿入部先端１１Ａに配設された対物レンズ１６を介してＣＣＤ１７に入射する。これにより、ＣＣＤ１７の受光面に被観察体の光学像が結像される。
【００２１】
ＣＣＤ１７の駆動信号は、スコープＣＰＵ１８からの制御信号に基づいて画像処理ＩＣ１９から出力される。ＣＣＤ１７では電荷蓄積時間中、被観察体の光学像が光電変換される。その結果、ＣＣＤ１７から被観察体のアナログ画像信号が１フィールド毎に出力される。ＣＣＤ１７から出力された１フィールド分のアナログ画像信号はＡＧＣ（Auto Gain Controller）２０を経て画像処理ＩＣ１９へ入力される。画像処理ＩＣ１９に入力された画像信号は所定の画像信号処理が施された後、画像処理プロセッサ３０のプロセッサ信号処理回路３５へ伝送される。
【００２２】
プロセッサ信号処理回路３５では入力された画像信号に増幅処理、ガンマ補正、輪郭強調等の所定の画像信号処理が施され、プロセッサ信号処理回路３５に設けられた画像メモリ（図示せず）に画像データとして格納される。画像メモリ内の画像データは、適時読み出されて所定のビデオ信号の仕様に準拠したビデオ信号変換処理が施され、モニターＴＶ５０へ出力される。その結果、モニターＴＶ５０に被観察体像が表示される。
【００２３】
また、画像処理ＩＣ１９から出力される画像信号は、調光ユニット４１へ入力される。調光ユニット４１では、入力された画像信号の輝度信号に基づいて、絞り４０の駆動量が演算される。演算された駆動量に基づく駆動信号が調光ユニット４１からモータ４２へ出力され、絞り４０の開度が制御される。その結果、挿入部先端１１Ａのライトガイド１４の出射端から出射され、被観察体に照射される照明光の光量が調節される。
【００２４】
電気メスが鉗子口２５から処置具挿通路２６に挿入されると、電気メスは電気メス駆動回路３６に電気的に接続される。システムコントローラ３１からの制御に基づいて電気メス駆動回路３６から電気メスへ駆動信号が出力される。これにより、電気メスによる生体の切開、切開箇所の凝固等の各種動作が実行される。
【００２５】
送気送水ユニット８０は、洗浄水が貯留された送水タンクとダイヤフラムポンプ等の送気送水ポンプとを有する。送気送水ポンプは、電子スコープ１０に設けられた送気送水通路（図示せず）を介して挿入部先端１１Ａに設けられた送気ノズル、送水ノズル（図示せず）へ空気や送水タンクの洗浄水を送り込むためのポンプである。空気や洗浄水をこれらのノズルから噴出させることにより、対物レンズ１６の表面の曇りの除去や体内への送気が行なわれる。
【００２６】
図４は、電子スコープ１０の接続部１３が画像処理プロセッサ３０に接続され、その接続状態が電気信号等により検知されたとき、システムコントローラ３１で実行されるスコープ接続ルーチンの処理手順を示すフローチャートである。ステップＳ１００で初期化処理が実行される。初期化処理では、スコープ接続ルーチンにおいて、第１〜第４の操作ボタン２１、２２、２３、２４に割当てられる機能の表示処理が実行される。換言すると、スコープ接続ルーチンの実行中に第１〜第４の操作ボタン２１、２２、２３、２４が押され、対応するスイッチＳＷ１〜ＳＷ４がオンしたときに実行される機能が、モニターＴＶ５０に表示される。
【００２７】
図６は、ステップＳ１００の初期化処理で表示されるモニターＴＶ５０の表示画面である。被観察体が映し出される第１の画像表示ウィンドウ５１の右側の機能表示領域５２に、現在、各操作ボタンに割当てられている機能が表示される。機能表示領域５２において、「１」は第１の操作ボタン２１、「２」は第２の操作ボタン２２、「３」は第３の操作ボタン２３、「４」は第４の操作ボタン２４を示す。尚、これらの数字と操作ボタンとの対応は、以降の他の表示画面においても同様である。第１の操作ボタン２１にはランプ３２を点灯するランプ点灯機能が割当てられ、第２の操作ボタン２２にはホワイトバランス調整機能が割当てられ、第３の操作ボタン２３には送気送水ポンプ駆動機能が割当てられ、第４の操作ボタン２４には他のモードへの移動機能が割当てられる。
【００２８】
次いで、ステップＳ１０２〜Ｓ１０８において、第１〜第４の操作ボタン２１、２２、２３、２４が押され、対応するスイッチＳＷ１、ＳＷ２、ＳＷ３、ＳＷ４がオンしているかチェックされる。
【００２９】
ステップＳ１０２において、スイッチＳＷ１がオンしていることが確認されたら、ステップＳ１１０へ進む。ステップＳ１１０では、システムコントローラ３１からランプ駆動回路３３へ、ランプ３２の点灯を指示する制御信号が出力される。その結果、ランプ駆動回路３３からランプ３２へ駆動信号が出力され、ランプ３２が点灯し、電子スコープ１０の挿入部先端１１Ａから照明光が照射される。
【００３０】
ステップＳ１０４において、スイッチＳＷ２がオンしていることが確認されたら、ステップＳ１１２へ進む。ステップＳ１１２では、ホワイトバランス処理が実行される。尚、ホワイトバランス処理は、画像処理プロセッサ３０のフロントパネル３７（図３参照）に設けられたホワイトバランス調整用のチューブ（図示せず）に、挿入部先端１１Ａを挿入した状態で実行される。チューブの底面にはホワイト板が配設されており、挿入部先端１１Ａを挿入することにより対物レンズ１６がホワイト板に対向する位置に位置決めされる。この状態で第２の操作ボタン２２が押され、スイッチＳＷ２がオンすると、ステップＳ１１２において、システムコントローラ３１のＣＰＵ３１ＡからスコープＣＰＵ１８へ、ＣＣＤ１７の駆動を指令する制御信号が出力される。そして、ＣＣＤ１７から得られた画像信号に基づいてゲインの調整が行われる。
【００３１】
ステップＳ１０６において、ＳＷ３がオンしていることが確認されたら、ステップＳ１１４へ進む。ステップＳ１１４では、システムコントローラ３１のＣＰＵ３１Ａから送気送水ポンプ駆動回路３８へ、ポンプ駆動を指示する制御信号が出力される。その結果、送気送水ポンプ駆動回路３８から送気送水ユニット８０の送気送水ポンプへ駆動信号が出力される。送気送水ポンプの動作開始により、挿入部先端１１Ａの送気ノズルや送水ノズルに空気や洗浄水が送り込まれる。
【００３２】
ステップＳ１１０、Ｓ１１２、Ｓ１１４の処理が行われたら、制御はステップＳ１０２へ戻り、スイッチＳＷ１〜ＳＷ４のチェック処理が繰り返される。
【００３３】
ステップＳ１０８において、スイッチＳＷ４がオンしていることが確認されたら、通常モードルーチンへジャンプする。図５は、通常モードルーチンにおける処理手順を示すフローチャートである。ステップＳ２００において、モード１メニュー表示が実行され、図７に示すように、通常モードのモード１において、第１〜第４の操作ボタン２１、２２、２３、２４に割当てられる機能の表示処理が実行される。
【００３４】
モード１において、第１の操作ボタン２１には、モニターＴＶ５０の第１の画像表示ウィンドウ５１に表示される動画を静止させる機能（フリーズＯＮ）が割当てられる。第２の操作ボタン２２には、第１の画像表示ウィンドウ５１に表示される画像の輝度レベルを上げる機能（明るさＵＰ）が割当てられ、第３の操作ボタン２３には、同輝度レベルを下げる機能（明るさＤＯＷＮ）が割当てられる。第４の操作ボタン２４には、動画記録装置７０の記録開始・記録一時停止の切替機能が割当てられる。
【００３５】
ステップＳ２０２〜Ｓ２０８において、第１〜第４の操作ボタン２１、２２、２３、２４が押され、対応するスイッチＳＷ１、ＳＷ２、ＳＷ３、ＳＷ４がオンしているかチェックされる。
【００３６】
ステップＳ２０４においてスイッチＳＷ２がオンしていることが確認されたら、ステップＳ２１０へ進む。ステップＳ２１０では、システムコントローラ３１のＣＰＵ３１Ａから調光ユニット４１へ、絞り４０の開度を広げる指令信号が出力される。その結果、挿入部先端１１Ａから配光レンズ１５を介して被観察体に照射される白色光の光量が増加され、モニターＴＶ５０の第１の画像表示ウィンドウ５１に映し出される画像の明るさがアップされる。
【００３７】
ステップＳ２０６においてスイッチＳＷ３がオンしていることが確認されたら、ステップＳ２１２へ進む。ステップＳ２１２では、システムコントローラ３１のＣＰＵ３１Ａから調光ユニット４１へ、絞り４０の開度を狭める指令信号が出力される。その結果、挿入部先端１１Ａから配光レンズ１５を介して被観察体に照射される白色光の光量が低減され、モニターＴＶ５０の第１の画像表示ウィンドウ５１に映し出される画像の明るさがダウンされる。
【００３８】
ステップＳ２０８においてスイッチＳＷ４がオンしたことが確認されたら、ステップＳ２１４へ進む。ステップＳ２１４では、システムコントローラ３１のＣＰＵ３１Ａから動画記録装置７０へ、プロセッサ信号処理回路３５で画像処理が施された画像の記録処理の開始・停止を指令する制御信号が出力される。動画記録停止状態でスイッチＳＷ４がオンすると、ＣＰＵ３１Ａから記録開始を指示する制御信号が出力され、動画記録中にスイッチＳＷ４がオンすると、ＣＰＵ３１Ａから記録停止を指示する制御信号が出力される。
【００３９】
ステップＳ２０２においてスイッチＳＷ１がオンしていることが確認されたら、ステップＳ２１６へ進む。ステップＳ２１６では、システムコントローラ３１からプロセッサ信号処理回路３５へ、動画静止を指示する制御信号が出力される。その結果、モニターＴＶ５０に表示されていた動画が静止される。
【００４０】
次いで、ステップＳ２１８へ進み、モード２メニュー表示処理が実行され、図８に示すように、通常モードのモード２において、第１〜第４の操作ボタン２１、２２、２３、２４に割当てられる機能の表示処理が実行される。また、第１の画像表示ウィンドウ５１の画像が静止されるのに伴い第２の画像表示ウインドウ５３がポップアップされ、動画が引き続き表示される。
【００４１】
第１の操作ボタン２１には、モニターＴＶ５０の第１の画像表示ウィンドウ５１において動画の静止を解除する機能（フリーズＯＦＦ）が割当てられる。第２の操作ボタン２２には、撮影画像をビデオプリンタ６０で印刷する機能が割当てられる。第３の操作ボタン２３には、周辺機器の情報を表示する機能が割当てられる。第４の操作ボタン２４には、静止画像の表示モード切替え機能が割当てられる。
【００４２】
ステップＳ２２０〜Ｓ２２６において、第１〜第４の操作ボタン２１、２２、２３、２４が押され、対応するスイッチＳＷ１、ＳＷ２、ＳＷ３、ＳＷ４がオンしているかチェックされる。
【００４３】
ステップＳ２２０においてスイッチＳＷ１がオンしていることが確認されたら、ステップＳ２２８へ進む。ステップＳ２２８では、システムコントローラ３１からプロセッサ信号処理回路３５へ、動画静止を解除する制御信号が出力される。その結果、モニターＴＶ５０において再び動画が再生される。
【００４４】
ステップＳ２２２においてスイッチＳＷ２がオンしていることが確認されたら、ステップＳ２３０へ進む。ステップＳ２３０では、画像情報がプロセッサ信号処理回路３５からビデオプリンタ６０へ伝送されると共に、ＣＰＵ３１Ａからビデオプリンタ６０へ、画像情報の出力を指令する制御信号が伝送される。
【００４５】
ステップＳ２２４においてスイッチＳＷ３がオンしていることが確認されたら、ステップＳ２３２へ進む。ステップＳ２３２では、周辺機器（モニターＴＶ５０、ビデオプリンタ６０、動画記録装置７０）の諸情報、例えば、ビデオプリンタ６０の紙の残量等が表示される。周辺機器の情報は、各周辺機器からＣＰＵ３１Ａへ例えばＳＣＩで伝送され、システムコントローラ３１のメモリに格納されている。本ステップでは、システムコントローラ３１の制御により、メモリ内の周辺機器情報が読み出されプロセッサ信号処理回路３５へ出力される。プロセッサ信号処理回路３５では、画像情報に周辺機器情報が重畳され、モニターＴＶ５０に出力される。その結果、モニターＴＶ５０に周辺機器情報が表示される。
【００４６】
ステップＳ２２６においてスイッチＳＷ４がオンしていることが確認されたら、ステップＳ２３４へ進む。ステップＳ２３４では、静止画の表示モードを切り替える処理が実行される。この切替処理により、垂直解像度の高いフレーム静止画と動きに強いフィールド静止画との間で切り替えることが可能である。
【００４７】
ステップＳ２２８の処理が終了したらステップＳ２００へ戻り、上述の処理が繰り返される。また、ステップＳ２３０、Ｓ２３２、及びＳ２３４の処理が終了したらステップＳ２２０へ戻り、上述の処理が繰り返される。
【００４８】
このように、本実施形態においては、各操作ボタン２１〜２４に割当てられる機能が、操作ボタンの操作に応じて変更される。換言すれば、操作ボタン２１〜２４の押下しに連動してスイッチＳＷ１〜ＳＷ４がオンするときに実行される機能が、操作ボタンの操作に応じて変更される。従って、操作ボタンの数を増やすことなく多数の機能を実行することが可能となる。すなわち、本実施形態によれば、操作部１２の操作性は維持したまま、機能性を向上させることができる。
【００４９】
本実施形態によれば、操作ボタンの操作に応じて操作ボタンに割当てられる機能が変更される。換言すれば、操作ボタンの機能を変更するにあたって、施術者は電子スコープ１０の挿入部１１を把持する手で画像処理プロセッサのフロントパネル３７等にタッチする必要がない。従って衛生的である。
【００５０】
第２〜第４の操作ボタン２２〜２４には、ステップＳ２２０及びＳ２２８の処理により動画のフリーズが解除された状態では動画再生時に相応しい機能（明るさのアップ、ダウン）が割当てられ、ステップＳ２０２及びＳ２１６の処理により動画がフリーズされた状態ではフリーズ時に相応しい機能（コピー機能、静止画の表示モードの切替）が割当てられる。従って、モニターＴＶ５０で動画が再生されている状態でコピー機能が実行されることはなく、使用者の予期しない状態の画像をコピーしてしまうことが避けられる。
【００５１】
本実施形態では、図６〜図８に示すように、第１〜第４の操作ボタン２１〜２４に割当てられる機能が変更される度に、その機能がモニターＴＶ５０に表示される。従って、操作者は、各操作ボタンのカレントの機能を常に把握することができ、誤操作が防止される。
【００５２】
ここで、モード１において第１の操作ボタン２１が押された場合の変形例（モード３）について説明する。この変形例では、周辺機器として、動画記録装置７０に代えてＭＯ等の静止画像記録装置が接続されているものとする。図５のステップＳ２１６で動画がフリーズされると、モード３の設定処理が実行される。すなわち、第１〜第４の操作ボタン２１、２２、２３、２４に対し、モード３の機能が割当てられ、各操作ボタンの機能がモニターＴＶ５０の機能表示領域５２に表示される。第１の操作ボタン２１には、モード２と同様、フリーズＯＦＦ機能が割当てられる。第２の操作ボタン２２には、撮影画像をビデオプリンタ６０で印刷する機能が割当てられる。第３の操作ボタン２３には、撮影画像を静止画記録装置に記録する機能が割当てられる。第４の操作ボタン２４には、撮影画像をビデオプリンタ６０及び静止画記録装置の双方で記録する機能が割当てられる。
【００５３】
モード３において第１の操作ボタン２１が押され、動画の静止が解除されると、モード２と同様、自動的にモード１へ戻る。すなわち、図５に示すステップＳ２００以降の処理と同様の処理が実行される。
【００５４】
次に、処置具の使用による動作モードの切替を行う変形例について説明する。鉗子口２５から処置具挿通路２６へ電気メスが挿入されると、第１〜第４の操作ボタン２１〜２４には、電気メスを操作するための各種機能が割当てられる。第１の操作ボタン２１には、連続的な正弦波で生体を切開する切開機能が割当てられ、第２の操作ボタン２２には、断続波で生体を凝固する凝固機能が割当てられ、第３の操作ボタン２３には、中間的な波形で生体を凝固しつつ、切開する混合作用機能が割当てられ、第４の操作ボタン２４には、電気メスモードと通常モードとを切り替える機能が割当てられる。そして、これらの機能と各操作ボタンとの対応関係が機能表示領域５２に表示される。
【００５５】
操作ボタン２１〜２３からオン信号がシステムコントローラ３１のＣＰＵ３１Ａに入力されると、電気メス駆動回路３６へ、各操作ボタンに割当てられた機能に対応する制御信号が出力される。これにより、電気メスによる各種操作が実行される。
【００５６】
従来、電気メスを使用する場合は、電子スコープの操作ボタンとフットスイッチとを組合わせて駆動制御が行われていた。本願発明によれば、電子スコープの操作ボタンの操作のみで電気メスの制御が可能となるため操作性が向上し、施術者の負担が軽減される。
【００５７】
尚、本実施形態では、処置具として電気メスを使用する場合を例にとって説明したがこれに限るものではない。処置具としてレーザメス等を用いる場合、操作ボタン２１〜２４にはレーザメスの操作機能が割当てられ、モニターＴＶ５０には当該操作機能が表示される。
【図面の簡単な説明】
【００５８】
【図１】本発明に係る実施形態が適用される電子内視鏡装置のシステム構成を示す図である。
【図２】電子スコープの操作部を拡大して示す図である。
【図３】電子内視鏡装置のブロック図である。
【図４】電子スコープの接続部が画像処理プロセッサに接続されたとき実行される処理の処理手順を示すフローチャートである。
【図５】通常モードルーチンにおける処理手順を示すフローチャートである。
【図６】電子スコープの操作部に初期機能が割当てられたときのモニターＴＶの表示例を示す図である。
【図７】通常モードにおいて動画が再生されている場合のモニターＴＶの表示例を示す図である。
【図８】通常モードにおいて動画がフリーズされている場合のモニターＴＶの表示例を示す図である。
【符号の説明】
【００５９】
１０  電子スコープ
２１  第１の操作ボタン
２２  第２の操作ボタン
２３  第３の操作ボタン
２４  第４の操作ボタン
３０  画像処理プロセッサ
５０  モニターＴＶ
６０  ビデオプリンタ
７０  動画記録装置
８０  送気送水ユニット
【図１】
2006061454.tif 000003
【図２】
2006061454.tif 000004
【図３】
2006061454.tif 000005
【図４】
2006061454.tif 000006
【図５】
2006061454.tif 000007
【図６】
2006061454.tif 000008
【図７】
2006061454.tif 000009
【図８】
2006061454.tif 000010